(57)【要約】【課題】緊急通報時の位置情報転送システムにおいて、緊急通報を他の受付台に転送する際に、音声信号に影響を与えることなく、位置情報を転送することを可能にする。【解決手段】通報者の位置を示す位置情報を、緊急通報を最初に受付けた一次受付台１１から、一次受付台１１とは管轄が異なる二次受付台２０に転送する緊急通報時の位置情報転送システムであって、一次受付台１１を収容する交換機４が、緊急通報時の音声信号を転送するための第１転送回線と、位置情報を転送するための第２転送回線とを有する転送用トランク２１を備え、二次受付台２０を収容する交換機１４に緊急通報を転送する際に、音声信号と位置情報とを異なる回線で転送することを特徴とする緊急通報時の位置情報転送システム。尚、転送用トランク２１は、ＩＳＤＮ回線のＵＵＩ機能を利用して位置情報を転送することが好ましい。【選択図】図１
2009130482.tif 000002
【特許請求の範囲】
【請求項１】
緊急通報者の位置を示す位置情報を、該緊急通報を最初に受付けた一次受付台から二次受付台に転送する緊急通報時の位置情報転送システムであって、
前記一次受付台を収容する第１交換機が、緊急通報時の音声信号を転送するための第１転送回線と、前記位置情報を転送するための第２転送回線とを有する転送用トランクを備え、前記二次受付台を収容する第２交換機に緊急通報を転送する際に、前記音声信号と前記位置情報とを異なる回線で転送することを特徴とする緊急通報時の位置情報転送システム。
【請求項２】
前記転送用トランクは、ＩＳＤＮ回線のＵＵＩ機能を利用して前記位置情報を転送することを特徴とする請求項１に記載の緊急通報時の位置情報転送システム。
【請求項３】
前記第１交換機は、前記位置情報の送信を要求する要求信号を、該位置情報を保有するＤＢサーバに送信する要求信号送信手段を備え、
該要求信号送信手段は、前記二次受付台が位置情報の送信を要求する要求信号を発したときに、前記二次受付台の発した前記要求信号を受信し、受信した要求信号を中継して前記ＤＢサーバに送信することを特徴とする請求項１又は２に記載の緊急通報時の位置情報転送システム。
【請求項４】
前記第１交換機は、前記要求信号送信手段が前記二次受付台の発した前記要求信号を受信したときに、該要求信号の前記ＤＢサーバへの中継を許可するか否かを選択する選択手段を備えることを特徴とする請求項３に記載の緊急通報時の位置情報転送システム。
【請求項５】
前記第１交換機は、前記要求信号送信手段による前記要求信号の送信回数と、前記要求信号の送信に応じて前記ＤＢサーバから前記位置情報が返信される返信回数との少なくとも１つを計数し、計数した回数を記録する履歴管理手段を備えることを特徴とする請求項１乃至４のいずれかに記載の緊急通報時の位置情報転送システム。
【請求項６】
前記第１交換機は、前記緊急通報が非通知設定での通報であった場合に、該緊急通報を発した通信端末を収容するキャリア交換機に対し、該通信端末のファシリティ情報を要求するファシリティ情報要求手段と、前記キャリア交換機から返信されたファシリティ情報を前記ＤＢサーバに送信するファシリティ情報送信手段とを備えることを特徴とする請求項１乃至５のいずれかに記載の緊急通報時の位置情報転送システム。
【請求項７】
前記位置情報が、緊急通報を発した携帯通信端末の位置を示す情報、又は該携帯通信端末が発した電波を受信する無線基地局の位置を示す情報であることを特徴とする請求項１乃至６のいずれかに記載の緊急通報時の位置情報転送システム。
【発明の詳細な説明】
【技術分野】
【０００１】
本発明は、緊急通報を行った通報者の位置を示す位置情報を転送する緊急通報時の位置情報転送システムに関し、特に、緊急通報を最初に受付けた一次受付台から、管轄が異なる二次受付台に対して、位置情報を転送する転送システムに関する。
【背景技術】
【０００２】
昨今、１１０番通報や１１９番通報等の緊急通報システムにおいては、携帯電話、ＩＰ電話の普及に伴って通信環境が整備され、通報者から口頭で位置を聞き出さなくても、自動的に位置情報を取得することが可能になっている。
【０００３】
通常、緊急通報に対しては、警察や消防等の緊急通報受付台（以下「受付台」という）で受付けを行うが、携帯電話機からの緊急通報の場合には、その受付けと同時に、通信事業者が保有するキャリアＤＢサーバから受付台に対して、発信電話機の電波を受信する無線基地局等の位置を示す位置情報が送信され、これよって、受付台側で発信位置の特定を行うことが可能となっている。近年では、ＧＰＳ機能付きの携帯電話機も広く普及しており、そうした電話機からの通報の場合には、無線基地局の位置等ではなく、直接、携帯電話機の位置を特定することも可能となっている。
【０００４】
また、非通知設定で通報が行われることもあり、その場合には、キャリアＤＢサーバから位置情報が自動送信されないが、受付台からキャリアＤＢサーバに対して、位置情報の送信を要求すれば、位置情報を取得することが可能となっている。キャリアＤＢサーバに対する位置情報の要求は、緊急通報呼が接続中で、且つ、受付けを行った受付台からのみ許可されるという制限があるものの、通報が切断されない限り、何度でも行うことができる。このため、位置情報の要求を行う都度、最新の情報を取得することが可能であり、携帯電話機からの通報のように、通報者が移動する可能性が高い通報に対しては、特に有効である。
【０００５】
しかしながら、上記緊急通報システムにおいては、位置情報を自動送信する場合、及び要求に応じて位置情報を送信する場合のいずれであっても、位置情報は、緊急通報を受付けた受付台に限って送信される。このため、通報者の居る場所や事故現場等が、緊急通報を受付けた受付台の管轄エリア外であり、他の受付台に通報を転送する場合でも、位置情報は、最初に緊急通報を受付けた受付台に送信され、転送先の受付台が位置情報を取得できないという問題があった。
【０００６】
上記問題の解決方法としては、位置情報をＰＢ信号（押しボタン信号）に変換し、音声信号と併せて送信する発信者情報送信システム（例えば、特許文献１参照）を用いて、キャリアＤＢサーバから位置情報を取得することが考えられる。上記送信システムを用いて位置情報を取得すれば、緊急通報を他の受付台に転送する場合でも、位置情報が音声信号に同伴して転送されるため、転送先の受付台で位置情報を取得することが可能である。
【０００７】
【特許文献１】特開２００３−３２３６６号公報
【発明の開示】
【発明が解決しようとする課題】
【０００８】
しかしながら、上記送信システムを用いて緊急通報の転送を行った場合には、位置情報をＰＢ信号の状態で転送するため、通話音声にＰＢ信号音（プッシュ音）が重畳して通話の妨げになることがあり、通報者からの情報聴取に支障を来す虞があった。また、上記送信システムを用いた転送方法においては、非通知設定での緊急通報に対し、最初に通報を受付けた受付台で位置情報を取得していなければ、通報を転送しても、音声信号のみの転送となるため、転送先の受付台が位置情報を取得できないという問題もあった。
【０００９】
そこで、本発明は、上記従来の技術における問題点に鑑みてなされたものであって、緊急通報を他の受付台に転送する際に、音声信号に影響を与えることなく、位置情報を転送できたり、最初に通報を受付けた受付台で位置情報を取得していない場合でも、転送先の受付台が位置情報を取得できることなどを実現する緊急通報時の位置情報転送システムを提供することを目的とする。
【課題を解決するための手段】
【００１０】
上記目的を達成するため、本発明は、緊急通報者の位置を示す位置情報を、該緊急通報を最初に受付けた一次受付台から二次受付台に転送する緊急通報時の位置情報転送システムであって、前記一次受付台を収容する第１交換機が、緊急通報時の音声信号を転送するための第１転送回線と、前記位置情報を転送するための第２転送回線とを有する転送用トランクを備え、前記二次受付台を収容する第２交換機に緊急通報を転送する際に、前記音声信号と前記位置情報とを異なる回線で転送することを特徴とする。
【００１１】
そして、本発明によれば、一次受付台から二次受付台に緊急通報を転送するに際して、音声信号と位置情報とを異なる回線を通じて転送するため、位置情報の転送が音声信号の転送に影響を与えるのを回避することができ、音声品質を維持しながら位置情報を転送することが可能になる。
【００１２】
上記緊急通報時の位置情報転送システムにおいて、前記転送用トランクが、ＩＳＤＮ回線のＵＵＩ機能を利用して前記位置情報を転送するように構成することができ、この構成によれば、即時性に優れた転送処理を行うことが可能になる。
【００１３】
上記緊急通報時の位置情報転送システムにおいて、前記第１交換機が、前記位置情報の送信を要求する要求信号を、該位置情報を保有するＤＢサーバに送信する要求信号送信手段を備え、該要求信号送信手段が、前記二次受付台が位置情報の送信を要求する要求信号を発したときに、前記二次受付台の発した前記要求信号を受信し、受信した要求信号を中継して前記ＤＢサーバに送信するように構成することができる。この構成によれば、二次受付台が発した位置情報の要求信号を、第１交換機が中継してＤＢサーバに送信するため、二次受付台からＤＢサーバに位置情報を要求することができ、一次受付台で位置情報を取得していない場合でも、二次受付台が位置情報を取得することが可能になる。
【００１４】
上記緊急通報時の位置情報転送システムにおいて、前記第１交換機が、前記要求信号送信手段が前記二次受付台の発した前記要求信号を受信したときに、該要求信号の前記ＤＢサーバへの中継を許可するか否かを選択する選択手段を備えることができ、これによれば、一次受付台の担当者が認識し得ない状況下で、要求信号の中継が行われるのを防止することができる。
【００１５】
上記緊急通報時の位置情報転送システムにおいて、前記第１交換機が、前記要求信号送信手段による前記要求信号の送信回数と、前記要求信号の送信に応じて前記ＤＢサーバから前記位置情報が返信される返信回数との少なくとも１つを計数し、計数した回数を記録する履歴管理手段を備えることができる。この構成によれば、要求信号に応じた位置情報の取得に関する統計を受付台毎に取ることができ、通信コストの管理や通報状況の調査等に活用することが可能になる。
【００１６】
上記緊急通報時の位置情報転送システムにおいて、前記第１交換機が、前記緊急通報が非通知設定での通報であった場合に、該緊急通報を発した通信端末を収容するキャリア交換機に対し、該通信端末のファシリティ情報を要求するファシリティ情報要求手段と、前記キャリア交換機から返信されたファシリティ情報を前記ＤＢサーバに送信するファシリティ情報送信手段とを備えることができる。この構成によれば、ＤＢサーバに通報者の電話番号情報を提供することができ、非通知設定での緊急通報時のようにＤＢサーバから位置情報が自動送信されない場合でも、ＤＢサーバから位置情報を取得することが可能になる。
【００１７】
上記緊急通報時の位置情報転送システムにおいて、前記位置情報を、緊急通報を発した携帯通信端末の位置を示す情報、又は該携帯通信端末が発した電波を受信する無線基地局の位置を示す情報とすることができる。
【発明の効果】
【００１８】
以上のように、本発明によれば、緊急通報時の位置情報転送システムにおいて、緊急通報を他の受付台に転送する際に、音声信号に影響を与えることなく、位置情報を転送できたり、最初に通報を受付けた受付台で位置情報を取得していない場合でも、転送先の受付台が位置情報を取得できることなどを実現することが可能となる。
【発明を実施するための最良の形態】
【００１９】
次に、本発明の実施の形態について図面を参照して詳細に説明する。
【００２０】
図１は、本発明にかかる緊急通報時の位置情報転送システムの一実施の形態を示す全体構成図である。尚、以下においては、携帯電話機１からの緊急通報を一次受付台１１で受付け、一次受付台１１と管轄が異なる二次受付台２０に転送する場合を例示して説明する。
【００２１】
キャリア交換機２は、携帯電話機１からの発信電波を受信する無線基地局（不図示）を収容する交換機であり、キャリアＤＢサーバ３は、通信事業者と加入契約した契約者の電話番号情報や、無線基地局の位置情報（緯度、経度）等を格納するサーバである。尚、携帯電話機１がＧＰＳ機能を有する場合には、そのＧＰＳ位置情報もキャリアＤＢサーバ３に格納される。
【００２２】
交換機４は、キャリア交換機２と一次受付台１１とを接続する交換機であり、携帯電話機１からの緊急通報を緊急通報回線に接続する緊急回線用トランク５と、伝送信号の多重化及び分離処理を行う時分割制御装置６と、緊急通報回線で伝送された緊急通報を一次受付台１１に接続する受付台用トランク７と、位置情報の要求等を行う位置情報制御部８と、交換機４の全体を制御する中央制御装置９と、転送用ＩＳＤＮ回線１３に接続され、一次受付台１１で受付けた緊急通報を二次受付台２０に転送する転送用トランク２１とを備える。
【００２３】
また、交換機４には、キャリアＤＢサーバ３から送信された位置情報を受信し、一次受付台１１に送信する位置情報受信装置１０と、キャリアＤＢサーバ３に位置情報の送信を要求して位置情報を取得した際の履歴を管理する強制取得履歴管理制御部１２とが接続される。尚、以下においては、キャリアＤＢサーバ３から位置情報が自動送信される場合と、キャリアＤＢサーバ３に位置情報の送信を要求して位置情報を取得する場合とを区別するため、後者を「強制取得」ということがある。
【００２４】
交換機１４は、交換機４と二次受付台２０とを接続する交換機であり、一次受付台１１から転送された緊急通報を緊急通報回線に接続する転送受付用トランク１５と、時分割制御装置１６と、緊急通報回線に接続された緊急通報を二次受付台２０に接続する受付台用トランク１７と、位置情報の要求等を行う位置情報制御部１８と、交換機１４の全体を制御する中央制御装置１９とを備える。
【００２５】
次に、上記構成を有する位置情報転送システムの動作について、図１〜図３を参照して説明する。ここでは、緊急通報の転送処理に先立ち、先ずは、緊急通報を受けた際の位置情報の取得手順について、図２を中心に参照しながら説明する。
【００２６】
緊急通報が行われると、先ず、キャリア交換機２に音声信号が転送され、キャリア交換機２より交換機４に接続される。交換機４は、緊急受付用トランク５を介して緊急通報回線と接続するとともに、時分割制御装置６を経由して、緊急通報回線と受付台用トランク７とを接続し、一次受付台１１に音声信号を伝送する。その後、一次受付台１１の担当者が、受付操作を行い、これにより、通報者との間の通話が成立する。
【００２７】
これと併行して、位置情報の取得処理が実行されるが、この処理は、図２に示すように、通報者が通知設定で緊急通報を行った場合と、非通知設定で緊急通報を行った場合とで、手順が異なる。
【００２８】
緊急通報が通知設定であった場合には（ステップＳ１：Ｎｏ）、通報者が発信を行った時点で、キャリア交換機２がキャリアＤＢサーバ３に対し、緊急通報があったことを示す発信情報を通知するとともに、その際に使用された携帯電話機１の発信者番号情報を通知する。次いで、キャリアＤＢサーバ３が、通知された発信者番号情報を用いて、携帯電話機１の電波を受信する無線基地局を特定するとともに、特定した無線基地局の位置情報を取り出す。尚、携帯電話機１がＧＰＳ機能を有する場合には、無線基地局の位置情報に代えて、携帯電話機１のＧＰＳ位置情報を取り出すこともできる。
【００２９】
次に、取り出した位置情報を位置情報受信装置１０に送信し（ステップＳ２）、その後、位置情報受信装置１０が、受け取った位置情報を一次受付台１１に展開する（ステップＳ３）。一次受付台１１は、受け取った位置情報から、地図及び住所を自動的に解析・検索し、それらをモニタ装置等（不図示）に表示する（ステップＳ４）。これにより、音声通話と同時に、通報者の位置を特定することができ、位置情報を活用しながら、通報者から事故情報等を聴取することができる。
【００３０】
これに対して、緊急通報が非通知設定であった場合には（ステップＳ１：Ｙｅｓ）、キャリアＤＢサーバ３から位置情報受信装置１０に位置情報が自動送信されないため、一次受付台１１は、音声通話が成立しているものの、通報者の位置を特定できない状態となる。
【００３１】
この場合には、一次受付台１１の担当者が、位置情報要求（強制取得）操作を行い、緊急回線用トランク５を介してキャリア交換機２へファシリティ情報を要求し、ファシリティ情報を取得する（ステップＳ５）。このファシリティ情報の取得は、緊急通報呼に対してのみ有効とされる機能であり、ファシリティ情報の中には、緊急通報を発信した携帯電話機１の電話番号情報や制御コード等が含まれる。
【００３２】
キャリア交換機２からファシリティ情報を受信すると、交換機４の位置情報制御部８が、位置情報受信装置１０を介してキャリアＤＢサーバ３にファシリティ情報（発信者番号情報）を送信するとともに、位置情報の送信を要求する要求信号を送信する（ステップＳ６）。
【００３３】
位置情報要求を受け取ったキャリアＤＢサーバ３は、送信されたファシリティ情報に基づいて位置情報を取り出し、通報が接続されていることを条件に、位置情報受信装置１０に位置情報を送信する（ステップＳ７）。尚、この場合、既に通報が切断されている場合には、拒否応答を送信し、位置情報を送信できない旨を通知する（ステップＳ８）。
【００３４】
その後は、緊急通報が通知設定であった場合と同様に、一次受付台１１において、受信した位置情報に基づいて地図及び住所を自動的に解析・検索し、モニタ装置等に表示する（ステップＳ９、Ｓ１０）。但し、位置情報の要求（強制取得）により位置情報を取得した場合には、位置情報の取得後、一次受付台１１から交換機４の中央制御装置９へ強制取得したことを伝達し、中央制御装置９が強制取得履歴管理制御部１２に強制取得数のカウントアップを要求して、位置情報要求の履歴（件数や日時）を残す（ステップＳ１１）。
【００３５】
次に、一次受付台１１で受付けた緊急通報を二次受付台２０に転送する転送処理の手順について、図３を中心に参照しながら説明する。
【００３６】
緊急通報の転送にあたっては、図３に示すように、先ず、一次受付台１１の担当者が転送操作を行うことにより、交換機４の転送用トランク２１を経由して転送用ＩＳＤＮ回線１３に接続し、二次受付台２０の交換機１４へ音声信号を転送する（ステップＳ２１）。次いで、交換機１４が、転送された音声信号を一旦転送受付用トランク１５で受信し、時分割制御装置１６及び受付台用トランク１７を経由して、受信した音声信号を二次受付台２０に送信する。その後、二次受付台２０が、送信された音声信号を受付け、これにより、二次受付台２０の担当者と通報者との間の音声通話が成立する。
【００３７】
これと併行して、位置情報の転送処理が行われるが、位置情報の転送処理は、緊急通報の受付時に一次受付台１１が位置情報を取得しているか否かで、その手順が異なる。
【００３８】
緊急通報の受付時に一次受付台１１で位置情報を取得している場合には（ステップＳ２２：Ｙｅｓ）、交換機４の中央制御装置９が、緊急通報の受付時に取得した位置情報を転送用トランク２１に送信し、転送用ＩＳＤＮ回線１３のＤチャンネル（音声信号を伝送する回線とは別の制御回線）のＵＵＩ（User User Information）機能を利用して、位置情報を交換機１４へ伝達する（ステップＳ２３）。ここで、ＵＵＩとは、テキストでフリーに使用できるパケットサービスであり、本機能を使用することにより、転送中の音声信号に影響を与えることなく、位置情報を転送することができる。
【００３９】
次いで、交換機１４の位置情報制御部１８が、転送された位置情報を解析して、二次受付台２０に位置情報を展開し（ステップＳ２４）、これにより、二次受付台２０に位置情報が提供される。その後は、二次受付台２０が、受け取った位置情報から地図及び住所を自動的に解析・検索し、モニタ装置等に表示する（ステップＳ２５）。
【００４０】
これに対して、緊急通報の受付時に一次受付台１１で位置情報を取得していない場合には（ステップＳ２２：Ｎｏ）、一次受付台１１が位置情報を所有していないため、一次受付台１１から自発的に位置情報が転送されてこない。このため、二次受付台２０の担当者が、位置情報取得（強制取得）操作を行い、交換機１４の中央制御装置１９から、転送用ＩＳＤＮ回線１３のＵＵＩインターフェースを使用し、位置情報の要求情報を送信する（ステップＳ２６）。
【００４１】
送信された要求情報は、転送用トランク２１を介して、交換機４の位置情報制御部８で受信され、位置情報制御部８は、受信した要求情報を解析し、二次受付台２０から位置情報の要求があったことを示す位置情報要求処理を中央制御装置９に伝達する（ステップＳ２７）。次いで、中央制御装置９が、二次受付台２０からの要求を許可するか否かを一次受付台１１に問い合わせ、一次受付台１１の担当者が要求を許可すれば、緊急回線用トランク５からキャリア交換機２にファシリティ情報を要求して、ファシリティ情報を取得する（ステップＳ２８、Ｓ２９）。
【００４２】
尚、一次受付台１１の担当者が要求を許可しなかった場合には、中央制御装置９から二次受付台２０に対し、位置情報の要求を許可できない旨をＵＵＩで伝え、位置情報の要求を却下する。
【００４３】
キャリア交換機２からファシリティ情報を受信すると、中央制御装置９が強制取得履歴管理制御部１２に強制取得数のカウントアップを要求し、一次受付台１１から位置情報の強制取得操作が行われたとして、位置情報要求の履歴を残す（ステップＳ３０）。
【００４４】
次いで、交換機４の位置情報制御部８が、発信者番号情報と、位置情報の送信を要求する要求信号とをキャリアＤＢサーバ３に送信し（ステップＳ３１）、これにより、二次受付台２０の発信した位置情報の要求信号がキャリアＤＢサーバ３に伝達される。その後は、キャリアＤＢサーバ３が、発信者番号情報に基づいて位置情報を取り出して返信し、交換機４の位置情報受信部１０が、返信された位置情報を受信する（ステップＳ３２）。
【００４５】
そして、位置情報受信装置１０が、受け取った位置情報を中央制御装置９へ折り返し、転送用ＩＳＤＮ回線１３のＤチャンネルを介して、交換機１４に位置情報を転送する（ステップＳ３３）。次いで、交換機１４の位置情報制御部１８が位置情報を解析して、二次受付台２０に位置情報を展開し（ステップＳ３４、Ｓ３５）、これにより、二次受付台２０に位置情報が提供される。その後は、二次受付台２０が、受け取った位置情報から地図及び住所を自動的に解析・検索し、モニタ装置等に表示する（ステップＳ３６）。
【００４６】
尚、一次受付台１１が位置情報を取得済みであっても、二次受付台２０側で改めて最新の位置情報を取得したい場合があるが、その場合には、上で説明した図３のステップＳ２６〜Ｓ３６の処理（一次受付台１１が位置情報を取得していない場合の転送処理）と同様の手順を踏むことにより、二次受付台２０に新しい位置情報を提供することができる。
【００４７】
以上のように、本実施の形態によれば、一次受付台１１から二次受付台２０に緊急通報を転送するに際し、音声信号を送信する回線とは別の回線を用いて、位置情報を転送するため、位置情報の転送が音声信号の転送に影響を与えるのを回避することができ、音声品質を維持しながら位置情報を転送することが可能になる。また、その際、ＩＳＤＮ回線のＵＵＩ機能を利用して位置情報を転送するため、即時性に優れた転送処理を行うことが可能になる。
【００４８】
さらに、本実施の形態によれば、二次受付台２０が発した位置情報の要求信号を、一次受付台１１を収容する交換機４が中継し、キャリアＤＢサーバ３に送信するため、二次受付台２０からキャリアＤＢサーバ３に位置情報を要求することができ、一次受付台１１で位置情報を取得していない場合でも、二次受付台２０が位置情報を取得することが可能になる。
【００４９】
また、本実施の形態によれば、二次受付台２０が発した位置情報の要求信号を中継する際に、一次受付台１１の担当者に対し、中継を許可するか否かを問い合わせるように構成されているため、一次受付台１１の担当者が認識し得ない状況下で、要求信号の中継が行われるのを防止することができる。
【００５０】
さらに、本実施の形態によれば、位置情報の強制取得履歴を管理する強制取得履歴管理制御部１２を備えるため、位置情報の強制取得に関する統計を受付台毎に取ることができ、通信コストの管理や通報状況の調査等に活用することが可能になる。
【００５１】
以上、本発明の実施の形態を説明したが、本発明は、上記構成に限定されるものではなく、特許請求の範囲に記載された発明の範囲内で種々の変更が可能である。
【００５２】
例えば、上記実施の形態においては、ＩＳＤＮ回線のＵＵＩ機能を利用し、同回線のＤチャンネルを用いて、一次受付台１１から二次受付台２０に位置情報を転送したり、二次受付台２０から一次受付台１１に位置情報の要求信号を送信するが、それらの情報を伝送する回線が、音声信号を転送する回線と別の回線であれば、他の転送方法を用いて、位置情報の転送や要求信号の送信を行ってもよい。
【図面の簡単な説明】
【００５３】
【図１】本発明にかかる緊急通報時の位置情報転送システムの一実施の形態を示す全体構成図である。
【図２】位置情報の取得手順を示すフローチャートである。
【図３】緊急通報の転送手順を示すフローチャートである。
【符号の説明】
【００５４】
１  携帯電話機
２  キャリア交換機
３  キャリアＤＢサーバ
４  交換機
５  緊急回線用トランク
６  時分割制御装置
７  受付台用トランク
８  位置情報制御部
９  中央制御装置
１０  位置情報受信装置
１１  一次受付台
１２  強制取得履歴管理制御部
１３  転送用ＩＳＤＮ回線
１４  交換機
１５  転送受付用トランク
１６  時分割制御装置
１７  受付台用トランク
１８  位置情報制御部
１９  中央制御装置
２０  二次受付台
２１  転送用トランク
【図１】
2009130482.tif 000003
【図２】
2009130482.tif 000004
【図３】
2009130482.tif 000005